(57)【要約】【課題】  水槽実験の結果得られたデータを基に実船に最適トリムを設定し、推進性能を最適状態に設定するとともに安定性を図りかつ経済性も良好にできる航海システムを提供する。【解決手段】  航海システム１は、船舶の排水量、トリムを種々変化させた水槽試験から得たデータに基づく船舶の排水量およびトリムに相関するデータベースを作成し、当該データベースと実船の注排水量と積荷量に基づいて実船の最適トリムを演算処理手段で演算し、当該演算結果に基づいて最適トリムに実船のバラストタンクへの注排水量を演算処理手段で演算して注排水要領を得る演算処理手段５とからなる。【選択図】        図１
2005306265.tif 000002
【特許請求の範囲】
【請求項１】
船舶の排水量、トリムを種々変化させた水槽試験から得たデータに基づく船舶の排水量およびトリムに相関するデータベースを作成し、
当該データベースと実船の注排水量に基づいて実船の最適トリムを演算処理手段で演算し、
当該演算結果に基づいて最適トリムに実船のバラストタンクへの注排水量を演算処理手段で演算して注排水要領を得ることを特徴とする航海システム。
【請求項２】
前記実船の最適トリムの演算は、少なくとも当該船舶のトリム・速力最適トリムカーブ及び／又は排水量比・トリム最適トリムカーブに基づく当該船舶の最適トリムの演算であることを特徴とする請求項１に記載の航海システム。
【発明の詳細な説明】
【技術分野】
【０００１】
本発明は、水槽実験の結果得られたデータを基に実船に最適トリムを設定できる航海システムに関するものである。
【背景技術】
【０００２】
一般に、船舶におけるトリムは、航海する上で、速度や、経済性や、船舶の安定性などに大きく左右する重要な要素である。このため、船舶では、トリム調整を行うことが重要である。
例えばバルクやタンカーなどの大型船舶の場合、積荷が満載されている状態の排水量のときには、積荷の積載状態を調整することで、最適なトリム状態になるようにしている。これにより、前述したトリムに関する問題を解決している。
しかしながら、積荷状況は、各寄港地で始めて知りうる場合もあり、また、運行上の都合から、積荷は積載上偏在することもあり得る。このような場合、当該船舶の乗務員は、経験と勘に頼って、バラスト注排水量を調節することにより、前記トリム調整を行っていたのが実情であった。
その結果、前記船舶は最適トリムに設定されているか不明のままで運行することもあり、当該排水量に対して推進性能が最適な状態になっていないという問題が発生していた。
なお、ジェット推進小型ボートにおいて推進性能を向上させるためや乗員の増減に応じてトリムを調整する技術（特許文献１参照）や、小型船舶において積載量や速度に応じてトリムを調整する技術（特許文献２参照）が提案されている。
【特許文献１】特開平７−１５６８７８号公報
【特許文献２】特開平５−７７７７９号公報
【発明の開示】
【発明が解決しようとする課題】
【０００３】
上述したように船舶が最適トリムに設定されていない場合には、次のような問題があった。
（１）当該排水量に対して最適なトリムに設定されていないため、推進性能が最適状態で発揮されない。
（２）当該排水量に対して最適なトリムに設定されていないため、船舶走行上で安定性が悪くなる。
（３）当該排水量に対して最適なトリムに設定されていないため、原動機出力を多く要することになり経済性が悪化する。
本発明は、上述した問題点を解消し、水槽実験の結果得られたデータを基に実船に最適トリムを設定し、推進性能を最適状態に設定するとともに安定性を図りかつ経済性も良好にできる航海システムを提供することを目的とする。
【課題を解決するための手段】
【０００４】
上記目的を達成するため、本願請求項１に係る発明の航海システムは、
船舶の排水量、トリムを種々変化させた水槽試験から得たデータに基づく船舶の排水量およびトリムに相関するデータベースを作成し、
当該データベースと実船の注排水量と積荷量に基づいて実船の最適トリムを演算処理手段で演算し、
当該演算結果に基づいて最適トリムに実船のバラストタンクへの注排水量を演算処理手段で演算して注排水要領を得ることを特徴とするものである。
また、本願請求項２に係る航海システムの発明は、前記請求項１に係る航海システムにおいて、前記実船の最適トリムの演算は、少なくとも当該船舶のトリム・速力最適トリムカーブ及び／又は排水量比・トリム最適トリムカーブに基づく当該船舶の最適トリムの演算であることを特徴とする。
【発明の効果】
【０００５】
本発明に係る航海システムは、上述したように構成したため、次のような効果がある。
（１）所定の排水量に対して最適なトリムに設定されているため、最適な推進性能を発揮できる。
（２）所定の排水量に対して最適なトリムに設定されているため、船舶を運行させる上で船舶の運行安定性がよくなる。
（３）所定の排水量に対して最適なトリムに設定されているため、原動機出力を数％〜十数％削減することができ、船舶運行上の経済性が高くなる。
【発明を実施するための最良の形態】
【０００６】
以下、本発明を実施するための最良の形態について、図１ないし図５を参照して説明する。
図１は、本発明を実施するための最良の形態に係る航海システムを説明するための概略構成図である。
この図１において、本発明を実施するための最良の形態に係る航海システム１は、排水量、トリムを種々変化させた水槽試験を行い、当該水槽試験により得た実験データを得る水槽試験手段３と、当該水槽試験手段３によって得た実験データに基づいてデータベースを作成し、当該データベースと実船の現実の排水量とに基づいて実船の最適トリムを演算し、当該演算結果を基に、実船が最適トリムに維持される実船のバラストタンクへの注排水量を演算して注排水要領を得る演算処理手段５と、前記演算処理手段５からの注排水要領を基に実船（実際の船舶）の複数のバラストタンクへの注排水を制御するバラスト注排水制御手段７とを備えたものである。
【０００７】
次に、上述した航海システム１における水槽試験手段３について簡単に説明する。
まず、水槽試験手段３において、水槽試験に使用する船舶をある排水量に設定し、かつ、当該排水量に対してトリムを種々変化させ、そのときどきのトリムにおける速力と馬力の関係を実験によって取得することにより、図２の特性を得ることができる。
【０００８】
ここに、図２は、上記水槽試験手段３により、ケース１の排水量においてトリムを種々変化させたときに実験で得られる速力と馬力の関係を示すデータの例であって、横軸に速力［ｋｔ］を、縦軸に馬力［ｐｓ］を、それぞれとったものである。
この図２では、水槽試験用船舶をケース１の排水量に設定し、トリムを１［ｍ］、０［ｍ］、−１［ｍ］、−２［ｍ］と変化させて、そのときの速力と馬力の関係が、それぞれの特性曲線２０１，２０２，２０３，２０４として得られることになる。この場合、トリム＝−１が常用出力において速力が最大になるため、この曲線２０３を最適トリムとして用いることになる。
【０００９】
次に、前記水槽試験手段３において、水槽試験用船舶をケース２の排水量に設定し、上述同様に，トリムを１［ｍ］、０［ｍ］、−１［ｍ］、−２［ｍ］と変化させて、そのときの速力と馬力の関係をとる。
また、前記水槽試験手段３において、水槽試験用船舶をケース３の排水量に設定し、上述同様に，トリムを１［ｍ］、０［ｍ］、−１［ｍ］、−２［ｍ］と変化させて、そのときの速力と馬力の関係をとる。
また、前記水槽試験手段３において、水槽試験用船舶をケース４の排水量に設定し、上述同様に，トリムを１［ｍ］、０［ｍ］、−１［ｍ］、−２［ｍ］と変化させて、そのときの速力と馬力の関係をとる。
さらに、前記水槽試験手段３において、水槽試験用船舶をケース５の排水量に設定し、上述同様に，トリムを１［ｍ］、０［ｍ］、−１［ｍ］、−２［ｍ］と変化させて、そのときの速力と馬力の関係をとる。
【００１０】
なお、上記水槽試験手段３において、実験データを得るためのパラメータとしては、試験用船舶の排水量、試験用船舶のトリム、試験用船舶の馬力、および、試験用船舶の速力の５つを用いているが、波浪中の性能を考慮するときには、さらに、パラメータとして波高、平均波周期を変化させて実験あるいはシミュレーションに基づく平水中からの速力低下量を求め、上述した値と速力低下量とを用いることにより、さらに正確な最適トリムを得ることができるようになる。しかしながら、この実施の形態では、上述した５種のパラメータを用いたもので説明することにする。
上述したようにして実験で得られた各種データは、水槽試験の実験データとして水槽試験手段３から演算処理手段５に与えられる（Ｓ２０１）。
【００１１】
次に、上記演算処理手段５について説明する。当該演算処理手段５は、まず、前記水槽試験手段３によって得た実験データに基づいてデータベースを作成する。ついで、前記演算処理手段５は、当該データベースと実船の実際の排水量とに基づいて実船の最適トリムを演算し、当該演算結果を基に、実船が最適トリムに維持されるように実船の各バラストタンクへの注排水量を演算して注排水要領を得るようにしたものである。
【００１２】
このような処理を実行する演算処理手段５は、例えばパーソナルコンピュータシステムで構成することができる。このパーソナルコンピュータシステムは、例えば、各種演算処理を実行するコンピュータ本体と、このコンピュータ本体に接続され各種処理結果を表示するディスプレイと、このコンピュータ本体に接続され必要な情報を入力するキーボードおよびマウスとを少なくとも備えているものとする。
【００１３】
また、前記コンピュータ本体は、例えば、各種演算処理やその他の処理を実行する中央処理ユニットと、前記中央処理ユニットで実行するためにオペレーティングシステムやアプリケーションプログラムやその他のデータなどを記憶する主メモリと、電源投入時等のイニシャル時の処理に必要なプログラム等を記憶している読出専用メモリと、外部機器にデジタルあるいはアナログで制御信号を与えたり外部機器の状態をアナログあるいはデジタルで取り込むための外部機器インターフェースと、オペレーティングシステムや本発明に係る航海システム用のアプリケーションプログラムや本発明で使用するデータベースやその他必要なデータを格納しておくハードディスク装置とを少なくとも備えている。
【００１４】
前記コンピュータ本体に設けられたハードディスク装置には、例えばＷＩＮＤＯＷＳ（登録商標）９８、ｍｅ、ＮＴ、２０００、ＸＰなどからなるオペレーティングシステムまたはＵＮＩＸ（登録商標）やＬＩＮＡＸなどの言語で作成したオペレーティングシステムと、本発明に係る航海システムのためのアプリケーションプログラムと、本発明に係る航海システムで使用するデータベースと、その他のアプリケーションプログラムとが少なくとも格納されている。
【００１５】
さらに、上記演算処理手段５を構成するパーソナルコンピュータシステムは、電源スイッチをオンとすると、前記ハードディスク装置からオペレーティングシステムが主メモリに展開記憶された後に実行され、さらに、本発明に係る航海システムのためのアプリケーションプログラムが主メモリに展開記憶されて本発明に係る航海システムの処理を実行できるようになる。
【００１６】
上述したパーソナルコンピュータシステムからなる演算処理手段５は、前記水槽試験手段３から与えられた実験データ（例えば、ケース１の排水量の実験データないしケース５の排水量の実験データ）から例えば図３に示すデータベースを作成する。
すなわち、上記演算処理手段５は、ケース１の排水量ないしケース５の排水量における最適トリムの値を取り出し、各排水量に対するトリムと速力の関係を図３に示すデータベースとして得ている。同様に、上記演算処理手段５は、排水比と最適トリムとの関係を図４に示すデータベースとして得ている。
【００１７】
ここに、図３は、本発明を実施するための最良の形態に係る航海システムで使用するデータベースの一例を説明するための特性図であって、横軸にトリム［ｍ］を、縦軸に速力［ｋｔ］を、それぞれとったものである。この図３に示すデータベースは、ケース１の排水量（例えば満載排水量の４０［％］）において上に凸のカーブの頂点、ケース２の排水量（例えば満載排水量の６０［％］）において上に凸のカーブの頂点、ケース３の排水量（例えば満載排水量の８０［％］）において上に凸のカーブの頂点、ケース４の排水量（例えば満載排水量の１００［％］）において上に凸のカーブの頂点、あるいは、ケース５の排水量（例えば満載排水量の１１０［％］）において上に凸のカーブの頂点をそれぞれ結んだ最適トリムのカーブ（以下、「トリム・速力最適トリムカーブ」という。）として得られる。このトリム・速力最適トリムカーブを用いることにより、特定の排水量に対して、速力に応じた最適トリムを得ることができる。
【００１８】
さらに、図４は、本発明を実施するための最良の形態に係る航海システムで使用するデータベースの他の例を説明するための特性図であって、横軸に排水量比［％］を、縦軸にトリム［ｍ］を、それぞれとったものである。この図４に示すデータベースは、マイナス側トリムの所定の値においてプロペラ没水不十分ゾーンが形成されている。また、この図４に示すデータベースは、排水量比［％］に応じて、プロペラ没水不十分ゾーン４１０からトリムが＋１［ｍ］の部分までの最適トリムカーブ（以下、「排水量比・トリム最適トリムカーブ」という。）が形成された状態のものとして提示されている。
【００１９】
次に、実船の排水量が決定したときに、当該排水量のデータを例えばキーボードなどから前記演算処理手段５に入力し、当該演算処理手段５に対して例えばキーボードあるいはマウスを用いて注排水量を得るための指令を与える。
すると、前記演算処理手段５は、当該データベースを参照し（Ｓ２０２）、そのデータベースと、キーボードなどから入力された実船の排水量に関するデータとを基に上記のトリム・速力最適トリムカーブ及び  排水量比・トリム最適トリムカーブに合致する実船の最適トリムを演算する（Ｓ２０３）。
【００２０】
前記演算処理手段５は、当該演算結果を受け取り（Ｓ２０４）、さらに当該演算結果を基に実船が最適トリムに維持されるようにするために、実船の各バラストタンク（詳細は後述する）への注排水量をそれぞれ演算して注排水要領を得る（Ｓ２０５）。前記演算処理手段５は、当該注排水要領を基にした制御用電気信号を形成し、外部機器インターフェースを介して当該制御用電気信号をバラスト注排水制御手段７に与える（Ｓ２０６）。
【００２１】
これにより、前記バラスト注排水制御手段７は、前記演算処理手段５からの注排水要領を基に実船の複数のバラストタンクへの注排水を個別に制御する。すなわち、実船の複数のバラストタンクのそれぞれに必要な水量が導入されるように制御する。これにより、バラストタンク内のバラスト水の量に応じて実船のトリムが調整されることになる。
【００２２】
すなわち、前記バラスト注排水制御手段７は、バラスト水量注排水に関する制御用電気信号を基に具体的なバラスト水量の注排水についてバラスト注排水設備９のポンプの運転制御や、電磁弁の開閉制御を実行する。すなわち、前記バラスト注排水制御手段７は、前記バラスト水量注排水に関する制御用電気信号を基に、ポンプの駆動／停止のため信号や、電磁弁のオンオフ信号などを系統別に形成できる。
【００２３】
次に、前記バラスト注排水設備９について簡単に説明する。図５は、本発明を実施するための最良の形態に係る航海システムで使用するバラスト注排水設備の例を説明するための概略構成図である。
この図５において、実船１３には、進行方向前部から後方に向けてバラストタンク１５ａ，１５ｂｍ，１５ｂｎ、１５ｃｍ，１５ｃｎ、１５ｄｍ，１５ｄｎが設けられている。また、バラストタンク１５ｂｍ，１５ｂｎ、１５ｃｍ，１５ｃｎ、１５ｄｍ，１５ｄｎは、例えばｍを右舷、ｎを左舷とするものとする。そして、例えばバラストタンク１５ａと、バラストタンク１５ｄｍ，１５ｄｎとに注水し、このときにバラストタンク１５ａに注水するバラスト水の量と、バラストタンク１５ｄｍ，１５ｄｎに注水するバラスト水の量とを調整することにより、前後方向のトリムを調整することができる。
【００２４】
また、例えばバラストタンク１５ｂｍ，１５ｃｍと、バラストタンク１５ｂｎ、１５ｃｎとの注水量を調整することにより、左舷・右舷方向のトリムを調整することもできる。
このようにバラストタンク１５ａ，１５ｂｍ，１５ｂｎ、１５ｃｍ，１５ｃｎ、１５ｄｍ，１５ｄｎに注入するバラスト水の量を増減することにより、周知のとおり、実船１３のトリムを調整することができることになる。
【００２５】
前記バラスト注排水設備９は、例えばエンジンルームに設置したメインポンプ９１と、各バラストタンク１５ａ，１５ｂｍ，１５ｂｎ、１５ｃｍ，１５ｃｎ、１５ｄｍ，１５ｄｎまで配管したメイン配管９２と、前記メイン配管９２と前記バラストタンク５ａの底部とまで配管された枝配管９３ａと、前記メイン配管９２とバラストタンク１５ｂｍ，１５ｂｎの底部とまで配管された枝配管９３ｂｍ，９３ｂｎと、前記メイン配管９２とバラストタンク１５ｃｍ，１５ｃｎの底部とまで配管された枝配管９３ｃｍ，９３ｃｎと、前記メイン配管９２とバラストタンク１５ｄｍ，１５ｄｎの底部とまで配管された枝配管９３ｄｍ，９３ｄｎと、前記メインポンプ９１の吸入口と水源との間を連通する給水用配管９４と、前記メインポンプ９１の吐出口と船外排出口とを連通した排水用配管９５と、前記メインポンプ９１の吸入口と吐出口とを連通した連絡用配管９６とを備えている。
【００２６】
前記メインポンプ９１の吸込口に接続されているメイン配管９２には、電磁弁９７Ａが設けられている。前記メインポンプ９１の吸込口に接続されている給水用配管９４には、電磁弁９７Ｂが設けられている。前記メインポンプ９１の吐出口に接続されている排水用配管９５には、電磁弁９８Ａが設けられている。前記メインポンプ９１の吐出口と、前記メイン配管９２のバラストタンク１５側との間を連通する連絡用配管９６には、電磁弁９８Ｂが設けられている。枝配管９３ａには、電磁弁９９ａが設けられている。枝配管９３ｂｍ，９３ｂｎには、電磁弁９９ｂｍ，９９ｂｎが設けられている。前記枝配管９３ｃｍ，９３ｃｎには、電磁弁９９ｃｍ，９９ｃｎが設けられている。前記枝配管９３ｄｍ，９３ｄｎには、電磁弁９９ｄｍ，９９ｄｎが設けられている。
【００２７】
なお、前記各バラストタンク１５ａ，１５ｂｍ，１５ｂｎ、１５ｃｍ，１５ｃｎ、１５ｄｍ，１５ｄｎには、図示しないが液面センサがそれぞれ設けられており、各バラストタンク１５ａ，１５ｂｍ，１５ｂｎ、１５ｃｍ，１５ｃｎ、１５ｄｍ，１５ｄｎの液面を測定して電気信号に変換できるようになっている。これら液面センサは、演算処理手段５あるいはバラスト注排水制御手段７にそれぞれ接続されており、バラストタンク１５ａ，１５ｂｍ，１５ｂｎ、１５ｃｍ，１５ｃｎ、１５ｄｍ，１５ｄｎのそれぞれの液面のデータを演算処理手段５あるいはバラスト注排水制御手段７に与えることができるようになっている。また、前記演算処理手段５あるいはバラスト注排水制御手段７には、図示しない角度センサーが接続されている。この角度センサーは、船舶１３の前後左右の角度を測定できるので、前後トリムあるいは左右トリムを測定して演算処理手段５あるいはバラスト注排水制御手段７に与えることができる。
【００２８】
実船１３において、航海を開始するときに、上記演算処理手段５に現在の航海状態（排水量）を入力する。
すると、演算処理手段５では、データベースから必要なデータを取り出し、最適的トリムの計算を実行する。
【００２９】
また、前記演算処理手段５は、計算結果から得られた研鑽最適トリムの値から、設定される最適トリムになるように、前記バラストタンク１５ａ，１５ｂｍ，１５ｂｎ、１５ｃｍ，１５ｃｎ、１５ｄｍ，１５ｄｎのうち最適トリム設定に必要なタンクが保有しなければならないバラスト水量を計算する。このとき、現在のバラストタンク１５ａ，１５ｂｍ，１５ｂｎ、１５ｃｍ，１５ｃｎ、または、１５ｄｍ，１５ｄｎに導入されているバラスト水が多い場合には規定の値になるまでバラスト注排水設備９を用いて排水させる。
一方、現在のバラストタンク１５ａ，１５ｂｍ，１５ｂｎ、１５ｃｍ，１５ｃｎ、または、１５ｄｍ，１５ｄｎに導入されているバラスト水では水量が不足する場合には、バラスト注排水設備９を用いてバラスト水を供給するようにしている。
【００３０】
ここで、例えば、バラストタンク１５ａにバラスト水を供給する場合には、前記バラスト注排水制御装置９から電磁弁オン信号が電磁弁９７Ｂ，９８Ｂ、９９ａに供給されることにより電磁弁９７Ｂ，９８、９９ａが開放される他、前記バラスト注排水制御装置９から電磁弁オフ信号が電磁弁９７Ａ，９８Ｂ，９９ｂｍ，９９ｂｎ、９９ｃｍ，９９ｃｎ、９９ｄｍ，９９ｄｎに供給されることによりこれら電磁弁が閉じる。これら電磁弁の開閉動作が終了すると、バラスト注排水制御装置９からメインポンプ９１の運転指令がメインポンプ９１に供給されることになり、メインポンプ９１が給水運転を開始する。
これにより、水源から給水用配管９４を介してメインポンプ９１に吸い込まれた水は、メインポンプ９１の吐出口から連絡用配管９６、メイン配管９２、枝配管９３ａを介してバラストタンク１５ａに供給されることになる。
【００３１】
一方、例えば、バラストタンク１５ａに保有されているバラスト水を排出する場合には、前記バラスト注排水制御装置９から電磁弁オン信号が電磁弁９７Ａ，９８Ａ，９９ａに供給されることにより電磁弁９７Ａ，９８Ａ，９９ａが開放される他、前記バラスト注排水制御装置９から電磁弁オフ信号が電磁弁９７Ｂ，９８Ｂ，９９ｂｍ，９９ｂｎ、９９ｃｍ，９９ｃｎ、９９ｄｍ，９９ｄｎに供給されることによりこれら電磁弁が閉じる。これらの電磁弁の開閉動作が終了すると、バラスト注排水制御装置９からメインポンプ９１の運転指令がメインポンプ９１に供給されることになり、メインポンプ９１を排水運転を開始する。
【００３２】
これにより、バラストタンク１５ａから枝配管９３ａ、メイン配管９２を介してメインポンプ９１に吸い込まれた水は、メインポンプ９１の吐出口から排水用配管９５を介して船舶３の外部に排出される。
このようにしてバラストタンク１５ａ，１５ｂｍ，１５ｂｎ、１５ｃｍ，１５ｃｎ、１５ｄｍ，１５ｄｎのうちの必要なタンクに必要な水量のバラスト水が保有されることになって、実船１３を最適トリムに設定することができる。
【００３３】
なお、前記バラストタンク１５ａ，１５ｂｍ，１５ｂｎ、１５ｃｍ，１５ｃｎ、１５ｄｍ，１５ｄｎに必要な水量が保有されたかは、例えば各バラストタンク１５ａ，１５ｂｍ，１５ｂｎ、１５ｃｍ，１５ｃｎ、１５ｄｍ，１５ｄｎの内部にそれぞれ配置された液面センサーによって検出することができ、それら液面センサーからの検出信号を前記演算処理手段５あるいはバラスト注排水制御手段７に取り込み、各センサーからの検出信号に基づいてバラスト注排水設備９を運転をすることにより、各バラストタンク１５ａ，１５ｂｍ，１５ｂｎ、１５ｃｍ，１５ｃｎ、１５ｄｍ，１５ｄｎ内における保有水量を調整することができる。
【００３４】
また、設定しようとした最適トリムに達したか否かを角度センサーからの検出信号を演算処理手段５に取り込むことによっても確認することができる。
本発明に係る航海システム１では、排水量、トリムを種々変化させた水槽試験を行い、当該水槽試験により得た実験データに基づくデータベースを作成し、当該データベースに基づいて実船の最適トリムを演算処理手段で演算し、当該演算結果と実船の排水量とを基に実船が最適トリムに維持される実船のバラストタンクへの注排水量を演算処理手段で演算して注排水要領を得、この注排水要領に基付いて、上述したようにバラスト注排水設備９を動作させることにより、各バラストタンク１５ａ，１５ｂｍ，１５ｂｎ、１５ｃｍ，１５ｃｎ、１５ｄｍ，１５ｄｎの内部のバラスト水を調整し、船舶１３を最適トリムに設定できるので、次のような利点が発揮される。
【００３５】
（１）所定の排水量に対して最適なトリムに設定されているため、最適な推進性能を発揮できる。
（２）所定の排水量に対して最適なトリムに設定されているため、船舶を運行させる上で船舶の運行安定性がよくなる。
（３）所定の排水量に対して最適なトリムに設定されているため、原動機出力を数％〜十数％削減することができ、船舶運航上の経済性が高くなる。
【図面の簡単な説明】
【００３６】
【図１】本発明を実施するための最良の形態に係る航海システムを説明するための概略構成図である。
【図２】水槽試験手段により、ケース１の排水量においてトリムを種々変化させたときの速力と馬力の関係を示すデータの例を示す特性図である。
【図３】本発明を実施するための最良の形態に係る航海システムで使用するデータベースの一例であるトリム・速力最適トリムカーブを説明するための特性図である。
【図４】本発明を実施するための最良の形態に係る航海システムで使用するデータベースの他の例である排水量比・トリム最適トリムカーブを説明するための特性図である。
【図５】本発明を実施するための最良の形態に係る航海システムで使用するバラスト注排水設備の例を説明するための概略構成図である。
【符号の説明】
【００３７】
１…航海システム
３…水槽試験手段
５…演算処理手段
７…バラスト注排水制御手段
９…バラスト注排水設備
１３…実船（実際の船舶）
９１…メインポンプ
９２…メイン配管
９３ａ，９３ｂｍ，９３ｂｎ、９３ｃｍ，９３ｃｎ、９３ｄｍ，９３ｄｎ…枝配管
９４…給水用配管
９５…排水用配管
９６…連絡用配管
９７Ａ，９７Ｂ、９８Ａ，９８Ｂ，９９ａ，９９ｂｍ，９９ｂｎ、９９ｃｍ，９９ｃｎ、９９ｄｍ，９９ｄｎ…電磁弁
【図１】
2005306265.tif 000003
【図２】
2005306265.tif 000004
【図３】
2005306265.tif 000005
【図４】
2005306265.tif 000006
【図５】
2005306265.tif 000007